(57)【要約】      （修正有）【課題】衣服の着用者の本来的な体型にかかわらず、衣服着用時の姿態を美しく演出することができる衣服を提供する。【解決手段】衣服１は、衣服本体２を含み、衣服本体２のうち人の腹部若しくは腰部に対応する位置に、引き締め用の主ベルト部３が装着されている。主ベルト部３は、主ベルト部３を衣服本体２に取り付けるための取付部３０と、取付部３０の両側からそれぞれ延設された伸縮可能な帯状の第１及び第２の弾性部３１、３２と、弾性部３１、３２のそれぞれの先端域に設けられた係合部３３、３４とを有する。衣服１の着用時に、第１及び第２の弾性部３１、３２を伸張させながら主ベルト部３を人の胴周りに巻き付けて係合部３３、３４を相互係合させることで、人の胴を引き締めることができる。【選択図】図１
0003231625.tif 000002
【実用新案登録請求の範囲】
【請求項１】
衣服本体（２，７）と、前記衣服本体のうち人の腹部若しくは腰部又はこれらの近傍に対応する位置に装着された引き締め用の主ベルト部（３）とを備えた衣服であって、
前記引き締め用の主ベルト部（３）は、
当該主ベルト部を前記衣服本体に取り付けるための取付部（３０）と、
前記取付部の両側からそれぞれ延設された伸縮可能な帯状の第１及び第２の弾性部（３１，３２）と、
前記第１及び第２の弾性部のそれぞれの先端域に設けられた係合部（３３，３４）と、
を有しており、
当該衣服の着用時に、前記第１及び第２の弾性部（３１，３２）を伸張させながら前記主ベルト部（３）を人の胴周りに巻き付けて前記係合部（３３，３４）を相互係合させることで、人の胴を引き締め可能とすることを特徴とする衣服。
【請求項２】
前記衣服には、前記主ベルト部（３）の他に、増し締め用の副ベルト部（４）が併設されており、
前記増し締め用の副ベルト部（４）は、
前記主ベルト部の取付部（３０）の両側からそれぞれ延設された伸縮可能な第１及び第２の副弾性部（４１，４２）と、
前記第１及び第２の副弾性部のそれぞれの先端域に設けられた係合部（４３，４４）と、を有しており、
前記第１及び第２の副弾性部（４１，４２）をそれぞれ伸張させた状態で、それぞれの副弾性部の係合部（４３，４４）を前記主ベルト部の係合部（３３，３４）に係合させることで、主ベルト部による引き締めに加えて、副ベルト部による増し締めが可能であることを特徴とする請求項１に記載の衣服。
【考案の詳細な説明】
【技術分野】
【０００１】
本考案は、人の胴体を引き締めるためのベルトを備えた衣服に関するものである。
【背景技術】
【０００２】
例えば紳士用の衣服（例えば、スーツ、ジャケット、ベスト、スラックス等）においては、衣服の着用者の本来的な体型（の悪さ）にもかかわらず、衣服着用時の姿態を美しく見せたいというニーズが存在する。具体的には、何らかの矯正手段により人体の一部を引き締めることで、たるんだお腹を引っ込めてすっきり見せたいとか、ウエスト周りを引き締まった状態に見せたいとか、スーツ姿をスマートで格好良く見せたい、といったニーズが存在する。本考案は、かかる事情に鑑みてなされたものである。
【先行技術文献】
【特許文献】
【０００３】
【特許文献１】（特になし）
【考案の概要】
【考案が解決しようとする課題】
【０００４】
本考案の目的は、衣服の着用者の本来的な体型にかかわらず、衣服着用時の姿態を美しく演出することができる衣服を提供することにある。
【課題を解決するための手段】
【０００５】
請求項１の考案は、衣服本体と、前記衣服本体のうち人の腹部若しくは腰部又はこれらの近傍に対応する位置に装着された引き締め用の主ベルト部とを備えた衣服であって、
前記引き締め用の主ベルト部は、
当該主ベルト部を前記衣服本体に取り付けるための取付部と、
前記取付部の両側からそれぞれ延設された伸縮可能な帯状の第１及び第２の弾性部と、
前記第１及び第２の弾性部のそれぞれの先端域に設けられた係合部と、
を有しており、
当該衣服の着用時に、前記第１及び第２の弾性部を伸張させながら前記主ベルト部を人の胴周りに巻き付けて前記係合部を相互係合させることで、人の胴を引き締め可能とすることを特徴とする衣服である。
【０００６】
請求項２の考案は、請求項１に記載の衣服において、
前記衣服には、前記主ベルト部の他に、増し締め用の副ベルト部が併設されており、
前記増し締め用の副ベルト部は、
前記主ベルト部の取付部の両側からそれぞれ延設された伸縮可能な第１及び第２の副弾性部と、
前記第１及び第２の副弾性部のそれぞれの先端域に設けられた係合部と、
を有しており、
前記第１及び第２の副弾性部をそれぞれ伸張させた状態で、それぞれの副弾性部の係合部を前記主ベルト部の係合部に係合させることで、主ベルト部による引き締めに加えて、副ベルト部による増し締めが可能であることを特徴とする。
【考案の効果】
【０００７】
本考案の衣服によれば、以下のような作用及び効果を奏する。
衣服の着用時、主ベルト部の第１及び第２の弾性部を伸張させながら主ベルト部を人の胴周りに巻き付けると共にそれぞれの弾性部の係合部を相互係合させる。すると、伸張させた各弾性部が元の状態に収縮しようとする復元力が生じ、この復元力に基づいて主ベルト部が人の胴（即ち、腹部若しくは腰部又はこれらの近傍）を引き締める。よって、衣服着用者の本来的な体型にかかわらず衣服着用時の姿態を美しく演出することができる。
【０００８】
主ベルト部の他に増し締め用の副ベルト部を併設する場合、主ベルト部による引き締め後に、副ベルト部の第１及び第２の副弾性部をそれぞれ伸張させた状態で、それぞれの副弾性部の係合部を主ベルト部の係合部に係合させる。すると、伸張させた各副弾性部が元の状態に収縮しようとする復元力が生じ、この復元力に基づき副ベルト部による増し締め作用が生み出される。よって、主ベルト部による引き締め作用に、副ベルト部による増し締め作用が加わって、衣服着用時の姿態をより一層美しく演出することができる。
【図面の簡単な説明】
【０００９】
【図１】本考案の一実施形態に従うベストを示し、（Ａ）は展開状態のベストの内側を示す正面図（展開図）、（Ｂ）はベストから取り外した状態での主ベルト部の平面図（真上から見下ろした図）。
【図２】着用時、人の胴周りに巻き付けられた主ベルト部を示す概略図。
【図３】副ベルト部が併設された主ベルト部を示し、（Ａ）は正面図、（Ｂ）は平面図（真上から見下ろした図）、（Ｃ）は背面図。
【図４】（Ａ）及び（Ｂ）は、図３に示すベルト部の使用状況を説明するための図２相当の概略図。
【図５】ベストの一変更例を示す正面図（展開図）。
【図６】図５中のＸ−Ｘ線断面の概略を示す拡大断面図。
【図７】本考案をスラックスに適用した一例を示す、展開状態のスラックスの内側を示す正面図（展開図）。
【考案を実施するための形態】
【００１０】
以下、本考案の幾つかの実施形態について図面を参照しつつ説明する。
【００１１】
図１（Ａ），（Ｂ）及び図２は、本考案をベストに具体化した一実施形態を示す。尚、図１（Ａ）のベスト１を「ウエストすっきりベスト」と呼ぶ。図１（Ａ）に示すように、ベスト１の本体２は、表地及び／又は裏地からなる布製の身頃を複数縫い合わせて構成されている（ベストの基本構造は周知なので詳細説明は省略する）。ベストの本体２の内側（裏地側）には主ベルト部３が装着されている。主ベルト部３は概ね、人の腹部に対応する高さ位置において、左右方向（ベスト本体２の幅方向）に帯状に延びており、後述するように人の胴体の引き締め用ベルトとして機能する。
【００１２】
図１（Ａ）及び（Ｂ）に示すように、主ベルト部３は、中心に位置する取付部３０と、その取付部３０の両側から左右方向にそれぞれ延設された第１及び第２の弾性部３１，３２とを有している。取付部３０は布製であり、この取付部３０をベストの本体２に縫い付けることで、主ベルト部３がベストの本体２に固定的に取り付けられている。第１及び第２の弾性部３１，３２は、ゴム弾性を有する薄布状の素材からできており、各弾性部は少なくとも長手方向（即ち図１の左右方向）に伸縮可能となっている。
【００１３】
第１及び第２の弾性部３１，３２のそれぞれの先端には、面ファスナー部３３，３４が連結されている。第１の弾性部３１の先端に連結された面ファスナー部３３は、一方の面（ベルトの巻き付け時に外側を向く面、図２参照）において面ファスナーを構成するループ起毛部３３ｂを所定の長さ範囲にわたって有している。他方、第２の弾性部３２の先端に連結された面ファスナー部３４は、他方の面（ベルトの巻き付け時に内側を向く面、図２参照）において面ファスナーを構成するフック起毛部３４ａを有している。ちなみに、上記二つの面ファスナー部３３，３４は、主ベルト部３における係合部を構成する。尚、面ファスナー部３３のループ起毛部３３ｂと、面ファスナー部３４のフック起毛部３４ａとが合わさることで、面ファスナーの接着作用が生じることは周知の通りである。
【００１４】
図２は、ウエストすっきりベスト１の着用時において、主ベルト部３を人（着用者）の胴周りに巻き付けたときの状況を概略的に示す。但し同図では人の胴の図示を省略している。図２に示すように、主ベルト部３を人の胴に巻き付ける際には、第１及び第２の弾性部３１，３２を伸張させると共に、二つの弾性部３１，３２の先端の面ファスナー部３３，３４を人の腹部の前で交差させる。そして、第１及び第２の弾性部３１，３２の伸張状態を保ったまま、第１弾性部先端の面ファスナー部３３のループ起毛部３３ｂに対して、第２弾性部先端の面ファスナー部３４のフック起毛部３４ａを係合（つまり接着）させる。すると、伸張させた第１及び第２の弾性部３１，３２には元の状態（非伸張状態）に収縮しようとする復元力が生じ、この復元力に基づいて主ベルト部３が人の胴（具体的には、腹部）を引き締める。かかる引き締め作用により、着用者の出っ張ったお腹が引き締められる。このように本考案のウエストすっきりベスト１（の主ベルト部３）によれば、着用者のお腹の出っ張りという悪い体型を適宜矯正することで、ベスト着用時の姿態を美しく見せることができる。
【００１５】
図３（Ａ），（Ｂ），（Ｃ）及び図４（Ａ），（Ｂ）は、上記ウエストすっきりベスト１に装着される引き締め用ベルトの別形態を示す。この別形態では、主ベルト部３の他に、増し締め用の副ベルト部４が併設されている。
【００１６】
図３に示す主ベルト部３は、図１の主ベルト部３と同様、取付部３０と、取付部の両側に設けられた第１及び第２の弾性部３１，３２と、両弾性部の先端に連結された係合部としての面ファスナー部３３，３４とを有している。但し、図３の面ファスナー部の構成は図１の場合と若干異なる。即ち、第１の弾性部３１の先端に連結された面ファスナー部３３は、一方の面（ベルトの巻き付け時に外側を向く面、図４（Ａ）参照）において面ファスナーを構成するループ起毛部３３ｂを所定の長さ範囲にわたって有している。他方、第２の弾性部３２の先端に連結された面ファスナー部３４は、他方の面（ベルトの巻き付け時に内側を向く面、図４（Ａ）参照）において面ファスナーを構成するフック起毛部３４ａを有すると共に、一方の面（ベルトの巻き付け時に外側を向く面）において面ファスナーを構成するループ起毛部３４ｂを所定の長さ範囲にわたって有している。
【００１７】
また、図３に示すように、増し締め用の副ベルト部４は、主ベルト部３の取付部３０の両側からそれぞれ延設された第１及び第２の副弾性部４１，４２を有している。第１及び第２の副弾性部４１，４２を構成する素材は、第１及び第２の弾性部３１，３２の構成素材と同じ又は同種のものであり、従ってこれら副弾性部４１，４２も伸縮可能である。但し、これら副弾性部４１，４２の反発弾性が弾性部３１，３２の反発弾性よりも高まるように、副弾性部４１，４２の構成素材を選択することは好ましい。
【００１８】
更に第１及び第２の副弾性部４１，４２のそれぞれの先端には、面ファスナー部４３，４４が連結されている。第１の副弾性部４１の先端に連結された面ファスナー部４３は、他方の面（ベルトの巻き付け時に内側を向く面、図４（Ａ），（Ｂ）参照）において面ファスナーを構成するフック起毛部４３ａを有している。第２の副弾性部４２の先端に連結された面ファスナー部４４も、同様に、他方の面において面ファスナーを構成するフック起毛部４４ａを有している。
【００１９】
図４は、ウエストすっきりベストの着用時において、二つのベルト部３，４を人（着用者）の胴周りに巻き付けたときの状況を概略的に示す。但し同図では人の胴の図示を省略している。先ず、図４（Ａ）に示すように、主ベルト部３を人の胴に巻き付ける際には、第１及び第２の弾性部３１，３２を伸張させると共に、二つの弾性部３１，３２の先端の面ファスナー部３３，３４を人の腹部の前で交差させる。そして、第１及び第２の弾性部３１，３２の伸張状態を保ったまま、第１弾性部先端の面ファスナー部３３のループ起毛部３３ｂに対して、第２弾性部先端の面ファスナー部３４のフック起毛部３４ａを係合（つまり接着）させる。かくして主ベルト部３の巻き付けが完了する。尚、ここまでは図２の場合と基本的に同じである。
【００２０】
続いて、副ベルト部４を人の胴に巻き付けるべく、図４（Ｂ）に示すように、第１及び第２の副弾性部４１，４２を伸張させると共に、それぞれの副弾性部４１，４２の先端を人の腹部の前付近にまで引き出す。そして、第１の副弾性部４１の伸張状態を保ったまま、その副弾性部先端の面ファスナー部４３のフック起毛部４３ａを、主ベルト部３の第１弾性部３１先端の面ファスナー部３３のループ起毛部３３ｂに対して係合（接着）させる。同様に、第２の副弾性部４２の伸張状態を保ったまま、その副弾性部先端の面ファスナー部４４のフック起毛部４４ａを、主ベルト部３の第２弾性部３２先端の面ファスナー部３４のループ起毛部３４ｂに対して係合（接着）させる。かくして副ベルト部４の巻き付けが完了する。
【００２１】
主ベルト部３により着用者の腹部が引き締められることは既に説明した通りであるが、図４（Ｂ）の場合、主ベルト部３の引き締め作用の他に、副ベルト部４による増し締め作用が加わることになる。つまり、伸張させた各副弾性部４１，４２には元の状態（非伸張状態）に収縮しようとする復元力が生じ、この復元力に基づいて副ベルト部４による増し締め作用が生み出される。よって、主ベルト部３による引き締め作用に、副ベルト部４による増し締め作用が加わることで、着用者の出っ張ったお腹がより一層引き締められて、ベスト着用時の姿態をより一層美しく見せることができる。
【００２２】
［変更形態］以下、本考案の実施形態の変更例等について簡単に説明する。
ウエストすっきりベスト１において、例えば図５，６に示すように、ベストの本体２の裏地の一部に（左右一対の）留め帯５１を縫い付けてもよい。この留め帯５１は、ベスト本体２の裏地との間にベルト通し孔５２を区画する。それぞれのベルト通し孔５２に例えば主ベルト部３の弾性部３１，３２を通すことで、非着用時にベスト１をハンガーに吊るした時などに、主ベルト部３が見苦しく垂れ下がる事態を防止することができる。
【００２３】
本考案は、ベストのみならず、紳士用又は婦人用の様々な衣服（例えば、スーツ、ジャケット、スラックス等）に適用することができる。例えば図７は、スラックスへの適用例を示す。図７のスラックス（ウエストすっきりスラックス６）によれば、スラックス６の本体７の内側（裏地側）には主ベルト部３が装着され、この主ベルト部３は概ね、人の腰部に対応する高さ位置において左右方向に帯状に延びている。このような主ベルト部３付きスラックス６においても、上述のベスト１と同様の作用効果を奏することができる。
【００２４】
上記の実施形態では、「係合部」として面ファスナー（部）を採用しているが、本考案における「係合部」は面ファスナーに限定されるものではなく、ボタン、スナップ、フック、ファスナー、ヒモ等の掛け留め具で構成されてもよい。
【符号の説明】
【００２５】
１  ウエストすっきりベスト
２  ベストの本体（衣服本体）
３  主ベルト部
３０  取付部
３１  第１の弾性部
３２  第２の弾性部
３３  面ファスナー部（係合部）  ３３ｂ  ループ起毛部
３４  面ファスナー部（係合部）  ３４ａ  フック起毛部  ３４ｂ  ループ起毛部
４  副ベルト部
４１  第１の副弾性部
４２  第２の副弾性部
４３  面ファスナー部（係合部）  ４３ａ  フック起毛部
４４  面ファスナー部（係合部）  ４４ａ  フック起毛部
６  ウエストすっきりスラックス
７  スラックスの本体（衣服本体）
【図１】
0003231625.tif 000003
【図２】
0003231625.tif 000004
【図３】
0003231625.tif 000005
【図４】
0003231625.tif 000006
【図５】
0003231625.tif 000007
【図６】
0003231625.tif 000008
【図７】
0003231625.tif 000009